(57)【要約】      （修正有）【課題】絶縁体で覆われた電圧線の電圧を、非接触で測定できる電圧センサとモニターコントロールシステムを提供する。【解決手段】モニターコントロールシステム２０は、電圧センサー２８とモニタコントローラ２４を備え、電圧センサー２８は、金属導体の電圧を示す第１の電圧信号を出力するように構成されており、該金属導体の電圧を検知するように構成された第１の信号板と、該第１の信号板の上に広がっており、電磁干渉を遮断するように構成された第１の遮蔽板とを含む第１の非侵入型容量性電圧センサと、該第１の非侵入型容量性電圧センサに結合され、該金属導体の電圧を示す第２の電圧信号を出力するように構成されており、該金属導体の電圧を検知するように構成された第２の信号板と、該第２の信号板の上に広がっており、電磁干渉を遮断するように構成された第２の遮蔽板とを含む第２の非侵入型容量性電圧センサとで構成されている。【選択図】図１
2014235163.tif 000002
【特許請求の範囲】
【請求項１】
金属導体を包囲する絶縁体に結合するように構成されており、前記金属導体の電圧を示す電圧信号を生成するように構成された非侵入型容量性電圧センサと、
前記非侵入型容量性電圧センサから前記電圧信号を受け取るように構成されており、前記電圧信号を利用して機械を監視又は制御するように構成されたモニターコントローラシステムとを含む、
システム。
【請求項２】
前記モニターコントローラシステムは、前記非侵入型容量性電圧センサからの前記電圧信号を測定するように構成された電圧計を含む、請求項１に記載のシステム。
【請求項３】
前記モニターコントローラシステムは、前記非侵入型容量性電圧センサからの前記電圧信号を測定するように構成された電圧測定回路を含む、請求項１に記載のシステム。
【請求項４】
前記非侵入型容量性電圧センサは、前記金属導体の外面と共にコンデンサを形成するように構成された信号板を含む、請求項１に記載のシステム。
【請求項５】
前記非侵入型容量性電圧センサは、前記信号板に沿って広がっており、前記信号板との電磁干渉を遮断する遮蔽板を含む、請求項４に記載のシステム。
【請求項６】
前記非侵入型容量性電圧センサは、前記信号板及び前記遮蔽板に沿って広がる絶縁材を含む、請求項５に記載のシステム。
【請求項７】
前記遮蔽板は、磁場遮蔽板又は電場遮蔽板である、請求項５に記載のシステム。
【請求項８】
前記非侵入型容量性電圧センサは、前記絶縁材の周囲に広がるハウジングを含む、請求項６に記載のシステム。
【請求項９】
前記非侵入型容量性電圧センサは、着脱可能な取付構造を含む、請求項１に記載のシステム。
【請求項１０】
前記非侵入型容量性電圧センサは、運動抵抗性材料による取付面を含む、請求項１に記載のシステム。
【請求項１１】
金属導体の電圧を示す第１の電圧信号を出力するように構成された第１の非侵入型容量性電圧センサであって、
前記金属導体の電圧を検知するように構成された第１の信号板と、
前記第１の信号板の上に広がっており、電磁干渉を遮断するように構成された第１の遮蔽板とを含む前記第１の非侵入型容量性電圧センサと、
前記第１の非侵入型容量性電圧センサに結合され、前記金属導体の電圧を示す第２の電圧信号を出力するように構成された第２の非侵入型容量性電圧センサであって、
前記金属導体の電圧を検知するように構成された第２の信号板と、
前記第２の信号板の上に広がっており、電磁干渉を遮断するように構成された第２の遮蔽板とを含む前記第２の非侵入型容量性電圧センサとを含む、
システム。
【請求項１２】
前記第１の非侵入型容量性電圧センサ及び前記第２の非侵入型容量性電圧センサは、前記金属導体の周囲で結合する、請求項１１に記載のシステム。
【請求項１３】
金属導体の電圧を示す電圧信号をモニターに出力するように構成された非侵入型容量性電圧センサであって、
前記金属導体の電圧を検知するように構成された信号板と、
前記信号板の上に広がっており、電磁干渉を遮断するように構成された遮蔽板とを含む前記非侵入型容量性電圧センサを含む、
システム。
【請求項１４】
前記信号板及び前記遮蔽板は、絶縁材の中に埋め込まれる、請求項１３に記載のシステム。
【請求項１５】
前記遮蔽板は、磁場遮蔽板及び電場遮蔽板を含む、請求項１３に記載のシステム。
【請求項１６】
前記非侵入型容量性電圧センサは、前記金属導体を包囲する絶縁体の外周を包囲するように構成されたハウジングを含む、請求項１３に記載のシステム。
【請求項１７】
前記非侵入型容量性電圧センサは、着脱可能な取付構造を含む、請求項１３に記載のシステム。
【請求項１８】
前記非侵入型容量性電圧センサは、湾曲した信号板と湾曲した遮蔽板を含む、請求項１３に記載のシステム。
【請求項１９】
前記非侵入型容量性電圧センサは、前記金属導体を包囲する絶縁体に前記非侵入型容量性電圧センサを結合するように構成された半環状ハウジングを含む、請求項１３に記載のシステム。
【請求項２０】
前記非侵入型容量性電圧センサは、運動抵抗材料による取付面を含む、請求項１３に記載のシステム。
【発明の詳細な説明】
【技術分野】
【０００１】
本発明は、容量性電圧センサシステムのためのシステム及び方法に関する。
【背景技術】
【０００２】
電気モータ及び発電機は、電磁場を利用して機械仕事を実行したり、電気を作ったりする。発電機によって発生した電力又はモータによって使用された電力は、非導電性絶縁体で覆われた電圧線を通過する。従って、電圧線の電圧の測定には、導体に直接アクセスできるようにするために絶縁体を除去することが必要である。このプロセスは、時間がかかり、実行するのに費用がかかることがある。
【発明の概要】
【０００３】
出願当初に請求された本発明に範囲が相応する特定の実施形態を以下に要約する。これらの実施形態は、請求された本発明の技術的範囲を制限することを意図するものではなく、むしろ本発明の可能な形態の概要を提供することのみを意図するものである。実際、本発明は、後述する実施形態と同様でも異なってもよい様々な形態を包含することができる。
【０００４】
第１の実施形態において、システムは、金属導体を包囲する絶縁体に結合するように構成されており、該金属導体の電圧を示す電圧信号を生成するように構成された非侵入型容量性電圧センサと、該非侵入型容量性電圧センサから該電圧信号を受け取るように構成されており、該電圧信号を利用して機械を監視又は制御するように構成されたモニターコントローラシステムとを含む。
【０００５】
第２の実施形態において、システムは、金属導体の電圧を示す第１の電圧信号を出力するように構成されており、該金属導体の電圧を検知するように構成された第１の信号板と、該第１の信号板の上に広がっており、電磁干渉を遮断するように構成された第１の遮蔽板とを含む第１の非侵入型容量性電圧センサと、該第１の非侵入型容量性電圧センサに結合され、該金属導体の電圧を示す第２の電圧信号を出力するように構成されており、該金属導体の電圧を検知するように構成された第２の信号板と、該第２の信号板の上に広がっており、電磁干渉を遮断するように構成された第２の遮蔽板とを含む第２の非侵入型容量性電圧センサとを含む。
【０００６】
第３の実施形態において、システムは、金属導体の電圧を示す電圧信号をモニターに出力するように構成された非侵入型容量性電圧センサであって、該金属導体の電圧を検知するように構成された信号板と、該信号板の上に広がっており、電磁干渉を遮断するように構成された遮蔽板とを含む該非侵入型容量性電圧センサを含む。
【図面の簡単な説明】
【０００７】
本発明のこれら及びその他の特徴、態様、及び利点は、図面を通して同様の符号が同様の部品を表す添付図面を参照して以下の詳細な説明を読むことによってより良く理解されるようになるであろう。
【図１】非侵入型容量性電圧センサシステムの一実施形態の概略図である。
【図２】導体を包囲する絶縁体に結合された非侵入型容量性電圧センサの一実施形態の斜視図である。
【図３】容量性電圧センサの一実施形態の断面図である。
【図４】容量性電圧センサの一実施形態の断面図である。
【図５】容量性電圧センサの一実施形態の断面図である。
【図６】図２の線Ａ−Ａに沿った非侵入型容量性電圧センサの一実施形態の断面図である。
【図７】図２の線Ａ−Ａに沿った非侵入型容量性電圧センサの一実施形態の断面図である。
【図８】図２の線Ａ−Ａに沿った非侵入型容量性電圧センサの一実施形態の断面図である。
【発明を実施するための形態】
【０００８】
本発明の１つ又は複数の特定の実施形態を以下に説明する。これらの実施形態の簡潔な説明を提供するため、実際の実装の全ての特徴が本明細書で説明されるわけではない。いずれのそのような実際の実装の開発においても、あらゆる技術的計画又は設計計画の場合と同様に、実装ごとに異なる可能性があるシステム関連の制約及びビジネス関連の制約との適合など、開発者の具体的な目標を実現するため、多数の実装固有の決定が行われなければならないことを理解されたい。更に、そのような開発努力は複雑で時間がかかる可能性があるが、それでも、本開示の恩恵を受ける当業者には設計、組立、及び製造の日常的な仕事であることを理解されたい。
【０００９】
本発明の様々な実施形態の要素を紹介する時、冠詞である「１つの（ａ、ａｎ）」、「この、その（該）（ｔｈｅ）」及び「前記（ｓａｉｄ）」は、その要素が１つ又は複数存在することを意味するものとする。「からなる（ｃｏｍｐｒｉｓｉｎｇ）」、「含む（ｉｎｃｌｕｄｉｎｇ）」及び「有する（ｈａｖｉｎｇ）」といった用語は包括的であり、その用語には列挙した要素以外の追加要素が存在し得ることを意味するものとする。
【００１０】
本発明は、全般的に、電圧線の電圧を示す電圧量を侵入せずに検知することが可能な非侵入型容量性電圧センサシステムに関する。非侵入型容量性電圧センサは、電圧線を包囲する絶縁体を除去せずに電圧線に取り付けることが可能である。実際、非侵入型容量性電圧センサは、接着剤、クリップ、ラッチ、クランプ、ストラップ、或いはその他の着脱可能又は永久的なマウントによって、侵入せずに（例えば、絶縁体を除去又は貫通することなく）電圧線に取り付けることができる。従って、非侵入型容量性電圧センサは、電圧線上の電圧の監視に伴う時間及び費用を削減する。作動中、非侵入型容量性電圧センサはコントローラ監視システムに結合して、電圧線の電圧を示す電圧量（即ち、電圧信号）をコントローラ監視システムに提供する。コントローラ監視システムは、非侵入型容量性電圧センサからの電圧信号を利用して、電気回転機械を監視及び／又は制御することができる。
【００１１】
図１は、非侵入型容量性電圧センサシステム１０の一実施形態である。非侵入型容量性電圧センサシステム１０は、シャフト１６によって機械１４に結合する電気回転機械１２（例えば、発電機又は電気モータ）に結合可能である。一部の実施形態では、機械１４として、内燃エンジン（例えば、ピストン型エンジン）、タービンエンジン（例えば、ガスタービンエンジン、風力タービン、蒸気タービン、水力タービン、又はそれらの任意の組み合わせ）、又はシャフト１６を駆動するためのトルクを発生させる別の駆動装置が挙げられる。電気回転機械１２は、シャフト１６からの機械エネルギーを利用し、ステータ１７及びロータ１９が同軸配置された磁場によって、電気を発生させる。この電気は、１つ又は複数の電圧線１８を通って電気回転機械１２から出て、グリッドに電力を供給したり電気機器を作動させたりする。例えば、電圧線１８は、５００Ｖ、６００Ｖ、７００Ｖ、８００Ｖ、９００Ｖ、１０００Ｖ、１５００Ｖ等を越える電圧を運ぶ高電圧線であってよい。電圧線１８は、１つ又は複数の中心導体（例えば、銅線）と、各導体を保護し、電荷損失を防ぐための絶縁コーティング（例えば、プラスチック、ゴムコーティング）とを含む。他の実施形態では、電気回転機械１２は電圧線１８を介して電気を受け取る。電気回転機械１２は、その電気を利用してステータとロータの磁場を発生させてシャフト１６を駆動する。そのため、シャフト１６に結合された機械１４は、シャフト１６のトルクを利用して仕事をすることが可能になる。例えば、機械１４として、１つ又は複数の圧縮機、ポンプ、コンベヤ、切削工具、及び／又は工業設備が挙げられる。
【００１２】
作動中、非侵入型容量性電圧センサシステム１０は、コントローラ監視システム２０によって、電気回転機械１２の入力電圧又は出力電圧を監視する。コントローラ監視システム２０は、コントローラ２２及びモニター２４を含む。モニター２４は、非侵入型容量性電圧センサ２８に結合して、非侵入型容量性電圧センサ２８から電圧信号を受け取る。図示するように、非侵入型容量性電圧センサ２８は、電圧線１８に結合して、電気回転機械１２の入力又は出力における電圧を検出する。非侵入型容量性電圧センサ２８は、電圧線１８の電圧を示す電圧量を検知することが可能である。より詳細には、非侵入型容量性電圧センサ２８は電圧線１８の絶縁外部被覆に結合するため、費用をかけて絶縁被覆を除去して電圧線１８の露出した導体に直接取り付けることが回避される。つまり、センサ２８は絶縁外部被覆の完全に外側にあるため、非侵入型と言われている。
【００１３】
非侵入型容量性電圧センサ２８の変化を測定するために、モニター２４は、電圧計３０及び／又は電圧測定回路３２を含むことができる。例えば、電圧計３０及び／又は電圧測定回路３２は、容量性電圧センサ２８と接地の間の抵抗器（図示せず）を通した容量性電圧センサ２８の電圧を測定することができる。モニターコントローラ２４は、非侵入型容量性電圧センサ２８からの電圧信号を利用して、電気回転機械１２の運転を制御することができる。例えば、コントローラ２２は、プロセッサ３６によってメモリ３４内の命令を実行して、電気回転機械１２への／からの電力を遮断し、電気回転機械１２による電力又は電気回転機械１２への供給を増減することができる。例えば、コントローラ監視システム２０は、機械１４（例えば、エンジン又は駆動装置）をシャットダウンすることによって、シャフト１６の回転と電気回転機械１２による発電を停止することができる。しかしながら、別の実施形態では、モニター制御システム２０が電気回転機械１２への電力をシャットダウンすることによって、シャフト１６の回転と機械１４の運転を停止してもよい。
【００１４】
図２は、電圧線１８に結合された非侵入型容量性電圧センサ２８の一実施形態の斜視図である。前述したように、電圧線１８は、保護絶縁被覆８２（例えば、プラスチック、ゴム）によって包囲された、複数の導線８１で構成される導体８０を含む。保護絶縁被覆８２は、導体８０を環境から保護し、導体８０を他の導電物から絶縁する。非侵入型容量性電圧センサ２８は非侵入形式で電圧線１８に結合するため、費用をかけて保護絶縁被覆８２を除去し、電圧センサを導体８０に直接取り付けることが回避される。
【００１５】
本実施形態において、非侵入型容量性電圧センサ２８は環状で、電圧線１８を包囲する。非侵入型容量性電圧センサ２８は、第１の非侵入型容量性電圧センサ８４及び第２の非侵入型容量性電圧センサ８６を含む。容量性電圧センサ８４及び８６は半円形で、電圧線１８の周囲で互いに結合して二重又は冗長センサ構成を形成する。容量性電圧センサ８４及び８６は、それぞれセンサ線８８及び９０を介してコントローラ監視システム２０に結合する。センサ線８８及び９０は、導体８０の電圧を示す電圧信号を運ぶ。従って、コントローラ監視システム２０は、電圧測定回路３２（図１）又は電圧計３０（図１）によって電圧の経時的な変化を測定することが可能である。
【００１６】
図３は、非侵入型容量性電圧センサ２８の一実施形態の断面図である。前述したように、非侵入型容量性電圧センサ２８の例示した実施形態は、第１の非侵入型容量性電圧センサ８４及び第２の非侵入型容量性電圧センサ８６を含む。センサ８４及び８６は、電圧線１８の周囲で結合して導体８０の電圧を検知する。図示するように、センサ８４及び８６の各々は、電圧線１８の周囲で約１８０度延在する半円形本体９２を有する。しかしながら、別の実施形態では、センサ８４及び８６は電圧線１８の外周を覆う量が異なっていてもよい。更に他の実施形態では、非侵入型容量性電圧センサ８４又は８６の１つだけが、電圧線１８上の非侵入型容量性電圧センサを保持する半円形部材に結合されていてもよい。図示するように、非侵入型容量性電圧センサ２８は、センサ８４及び８６を第１の側部９４に結合するヒンジ１００と、センサ８４及び８６を第２の側部９６に結合するラッチ１０２とを含む。ヒンジ１００とラッチ１０２は、開閉することによって非侵入型容量性電圧センサ２８が電圧線１８の周囲に着脱するのを可能にする。或いは、ヒンジとラッチは、非侵入型容量性電圧センサを電圧線１８の周囲に永久的に結合してもよい。ラッチ１０２は、締結具１０４をねじ込み式コネクタ１０６及び１０８に通すことによって非侵入型容量性電圧センサ２８を電圧線１８上に固定することができる。他の実施形態では、センサ８４及び８６は、ドローラッチ、スプリングラッチ、コンプレッションラッチ、スナップフィット機構、フック及びループ（面ファスナー）、クランプ、ストラップ、或いは任意のその他の着脱可能又は永久継手によって結合してもよい。
【００１７】
容量性電圧センサ８４及び８６は各々、信号板１１０と、絶縁材の層１１４，１１６，及び１１８の中又は間に埋め込まれた遮蔽板１１２とを含む。信号板１１０は、複数の導線８１で構成される導体８０の外面１２０と共にコンデンサを形成する。交流電流が電圧線１８を流れるにつれて、コンデンサ（即ち、信号板１１０）内の電荷が増減して、コントローラ監視システム２０の電圧計３０（図１）又は電圧測定回路３２のどちらかによって測定可能な電圧（即ち、電圧信号）がセンサ線８８で生じる。信号板１１０の電圧は電圧線１８の電圧と等しくないかもしれないが、大体の電圧を示している（例えば、信号板の電圧により、ルックアップテーブル、方程式、計算、又はモデルによって電圧線１８の電圧を判定することが可能になる）。容量性電圧センサ８４及び８６は、他の電源からの電磁干渉を遮断する（例えば、信号板１１０の電圧信号との干渉を遮断する）ための遮蔽板１１２を含む。本実施形態では、遮蔽板１１２は、磁場干渉を遮断するための磁場遮蔽板１２２と、電場干渉を遮断するための電場遮蔽板１２４の２つの層を含む。信号板１１０は、任意の適切な導電又は半導電材料（例えば、銅、アルミニウム、リン青銅、ドープシリコン）から作ることができる。磁場遮蔽板１２２は、任意の適切な高透磁率材料（例えば、パーマロイ、ミューメタル）から作ることができる。電場遮蔽板１２４は、任意の適切な導電材料（例えば、銅、アルミニウム、リン青銅）から作ることができる。上記したように、板１１０，１２２，及び１２４は、絶縁材の層１１４，１１６，及び１１８（例えば、セラミック、プラスチック、エポキシ、シリコン、誘電絶縁体）の中又は間に埋め込むことができる。一部の実施形態では、層１１４，１１６，及び１１８の各々の材料は同じ絶縁材であってよい。しかしながら、他の実施形態では、層１１４，１１６，及び１１８の各々の材料は層の１つ又は複数に関して異なってもよい。例えば、層１１４が誘電絶縁体から作られる一方で、層１１６及び１１８は非誘電絶縁材から作られてもよい。更にまた、一部の実施形態では、絶縁材の層を２つの遮蔽板１２２及び１２４の間に設置してもよい。
【００１８】
図４は、非侵入型容量性電圧センサ２８の一実施形態の断面図である。例示した実施形態では、非侵入型容量性電圧センサ２８は、電圧線１８に留めることが可能なＣ型又はＵ型本体１３６を形成する。この構成では、非侵入型容量性電圧センサ２８は、締結具（例えば、ラッチ、ボルト、接着剤クランプ）を使用せずに電圧線に結合すること及び電圧線から除去することが可能なため、迅速に設置して測定及びその後の除去を行うことができる。非侵入型容量性電圧センサ２８は、電圧線１８の絶縁層８２、信号板１４６、及び遮蔽板１４８の間に絶縁材（例えば、セラミック、プラスチック、エポキシ、ドープシリコン、誘電絶縁体）の層１４０，１４２，及び１４４を含む。絶縁層は柔軟な材料から作ることができ、非侵入型容量性電圧センサ２８を電圧線１８に弾性的に留めることが可能になる（例えば、絶縁層はばね力を有してもよい）。例えば、周端部１３８は、除去及び取付の間、方向１３９外側に湾曲させることができる。更に、層１４０，１４２，及び１４４の各々の絶縁材は、柔軟性が互いに異なっていてもよい。例えば、層１４０は電圧線１８の絶縁層８２の周囲に気密シールを形成する最も柔軟な層にする一方で、層１４２及び１４４は剛性が徐々に増加してもよい。
【００１９】
図５は、弓形本体１５８を有する非侵入型容量性電圧センサ２８の一実施形態の断面図である。例示した実施形態では、非侵入型容量性電圧センサ２８は、運動抵抗性材料１６０によって電圧線１８に結合する。運動抵抗性材料１６０には、接着剤、高摩擦材、表面組織、又はそれらの任意の組み合わせが含まれる。運動抵抗性材料１６０として、電圧線１８の上部に沿ってセンサ２８が動かないようにするのに役立つ、ゴムのような、弾性体が挙げられる。運動抵抗性材料１６０は、用途に応じて電圧線１８と永久的又は一時的結合を形成することができるため、電圧線１８の電圧の短期間又は長期間の測定が可能になる。非侵入型容量性電圧センサ２８は、信号板１６８と遮蔽板１７０の間に絶縁材（例えば、セラミック、プラスチック、エポキシ、シリコン、誘電絶縁体）の層１６２，１６４，及び１６６を含む。絶縁層１６２，１６４，及び１６６は柔軟な材料から作ることができ、非侵入型容量性電圧センサ２８を電圧線１８の外形に適合するようにすることができる。層１６２，１６４，及び１６６の各々の絶縁材は、柔軟性が互いに同じでも異なってもよい。非侵入型容量性電圧センサ２８を柔軟な弓形本体１５８によって直接電圧線１８に接着することが可能なため、単一の非侵入型容量性電圧センサを様々な直径の電圧線１８に結合することが可能になる。
【００２０】
図６は、図２の線Ａ−Ａに沿った非侵入型容量性電圧センサ２８の一実施形態の断面図である。非侵入型容量性電圧センサ２８は、遮蔽板１９０及び１９２と、絶縁材１９４（例えば、セラミック、プラスチック、エポキシ、シリコン、誘電絶縁体）と、信号板１９６とを含む。例えば、遮蔽板１９０及び１９２は、外側１９８と、第１の端側２００と、第２の端側２０２とを有することになる。端側２００及び２０２は、外側１９８に対して略横方向（例えば、垂直）であってよい。この構成では、遮蔽板１９０及び１９２が信号板１９６との外部電磁干渉を低減するのと同時に、遮蔽板１９０及び１９２間の干渉が減少する。より詳細には、端側２００及び２０２が遮蔽板１９０及び１９２の外側１９８を信号板１９６から更に遠ざけて、信号板１９６と遮蔽板１９０及び１９２の間の干渉を低減する。他の実施形態では、遮蔽板１９０及び１９２は、形状が略半環状であってもよい。
【００２１】
図７は、非侵入型容量性電圧センサ２８の一実施形態の断面図である。非侵入型容量性電圧センサ２８は、第１の非侵入型容量性電圧センサ２１０及び第２の非侵入型容量性電圧センサ２１２を含む。図示するように、第１及び第２の容量性電圧センサ２１０及び２１２は、絶縁材２１４（例えば、セラミック、プラスチック、エポキシ、シリコン、誘電絶縁体）の中に互いに軸方向に隣接して設置される。第１の非侵入型容量性電圧センサ２１０は、信号板２１６と、遮蔽板２１８及び２２０を含む。第２の非侵入型容量性電圧センサ２１２は、同様に、信号板２２２と、遮蔽板２２４及び２２６を含む。２つの容量性電圧センサ２１０及び２１２を含むことによって、非侵入型容量性電圧センサ２８は、単一デバイスによる電圧線１８の電圧の冗長検知を行う。
【００２２】
図８は、非侵入型容量性電圧センサ２８の一実施形態の断面図である。非侵入型容量性電圧センサ２８は、ハウジング２４０と、信号板２４２と、遮蔽板２４４と、絶縁材２４６（例えば、セラミック、プラスチック、エポキシ、ドープシリコン、誘電絶縁体）とを含む。図示するように、絶縁材２４６、信号板２４２、及び遮蔽板２４４は、ハウジング２４０内に置かれている。上記したように、非侵入型容量性電圧センサ２８は、信号板２４２によって検知された電圧信号との干渉による電磁干渉を遮断する遮蔽板２４４を含む。図示するように、遮蔽板２４４は、信号板の片側の電磁干渉のみを遮断することができる。更に、遮蔽板２４４は、電場及び磁場を遮断することが可能な１つ又は複数の材料から作ることができる。しかしながら、一部の実施形態では、ハウジング２４０と遮蔽板２４４が連携して電磁干渉を遮断することができる。例えば、遮蔽板２４４が磁場を遮断し、ハウジング２４０が電場を遮断してもよく、又はその逆でもよい。
【００２３】
本発明の技術的効果は、電圧線の電圧を侵入せずに検知することが可能なことである。例えば、非侵入型容量性電圧センサは、接着剤、クリップ、ラッチ、クランプ、ストラップ、或いはその他の着脱可能又は永久的なマウントによって、侵入せずに（例えば、絶縁体を除去又は貫通することなく）電圧線に取り付けることができる。従って、非侵入型容量性電圧センサは、電圧線上の電圧の監視に伴う時間及び費用を削減する。電圧線と結合されると、非侵入型容量性電圧センサによって制御監視システムが電圧の経時的な変化を検出することが可能になる。
【００２４】
本明細書は、実施例を使用して、最良の形態を含む本発明を開示し、更にあらゆる装置又はシステムを製作且つ使用すること及びあらゆる組み込まれた方法を実行することを含む本発明の実施を当業者が行うのを可能にする。本発明の特許性がある技術的範囲は、特許請求の範囲によって規定され、当業者が想到するその他の実施例を含むことができる。そのようなその他の実施例は、それらが特許請求の範囲の文言と相違しない構造的要素を有する場合、又はそれらが特許請求の範囲の文言と本質的でない相違を有する同等な構造的要素を含む場合には、特許請求の範囲の技術的範囲内に属することになるものとする。
【図１】
2014235163.tif 000003
【図２】
2014235163.tif 000004
【図３】
2014235163.tif 000005
【図４】
2014235163.tif 000006
【図５】
2014235163.tif 000007
【図６】
2014235163.tif 000008
【図７】
2014235163.tif 000009
【図８】
2014235163.tif 000010